(57)【特許請求の範囲】
【請求項１】
両端部に軒樋の耳部を支持する樋耳支持部を有する吊具本体と、軒先の鼻隠し板などに取り付けられる取付体とからなり、この取付体の屋外側端部に前記吊具本体が当接され、この吊具本体が取付体に対して前後方向に摺動自在に止着された軒樋支持具において、
前記吊具本体の両側面にそれぞれ出寸法の調整幅を示す異なった目盛りが設けられ、一方、前記取付体の屋外側端部の外面に、使用すべき目盛りを示す標示が設けられていることを特徴とする軒樋支持具。
【請求項２】
取付体の標示に艶消し処理が施されている請求項１記載の軒樋支持具。
【請求項３】
吊具本体および取付体がともに透明な合成樹脂製のものである請求項１または２記載の軒樋支持具。
【発明の詳細な説明】
【０００１】
【発明の属する技術分野】
本発明は軒先からの出寸法の調整を行うことができる軒樋支持具に関する。
【０００２】
【従来の技術】
従来、軒樋を軒先に取り付ける際に使用される軒樋支持具として、両端部に軒樋縁保持部が、中央部に長手方向に沿ってボルト挿入長孔がそれぞれ設けられた樋吊具と、一端部に止着部が、他端部にボルト挿入孔がそれぞれ設けられ、この他端部の両側縁が下方に曲げられて係止片が形成された止め具とからなり、この止め具の係止片の間に前記樋吊具の中央部が装着されて樋吊具が長手方向に摺動自在に当接され、止め具のボルト挿入孔と樋吊具のボルト挿入長孔とに挿通されたボルトと、ナットとで、樋吊具が止め具に止着されたものが知られている（たとえば実開平４−８２２３２号公報や特開平５−２３９８９４号公報を参照。）。そして、樋吊具の側面には、出寸法の調整を行う際に、位置決めの目印となる目盛りが設けられている。
【０００３】
ところで、建物の屋根の態様、たとえば屋根勾配や屋根を葺く瓦の厚みによって、軒樋の屋内側外面と鼻隠し板との隙間（つまり、軒樋の軒先からの出寸法）を変える必要がある。この出寸法の調整幅は一般的には約１０〜６０ｍｍの範囲である。上記従来の軒樋支持具では、一種類のもので、この調整幅の範囲全体にわたって使用することは難しい。そして、軒樋の形状は所定形状をしているため、樋吊具が制約を受けることになり、樋吊具の前後方向の長さを変えることは実用上困難である。
【０００４】
一般的には、長さの異なる２種類の止め具を製作しておき、調整幅の大小に応じて使い分けることが考えられる。なお、この際、出寸法調整用の目盛りを樋吊具の両側面に設けることが必要となってくる。たとえば、樋吊具の一側面に小範囲での調整用の目盛りを設け、一方、樋吊具の他側面に大範囲での調整用の目盛りを設けることになる。
【０００５】
【発明が解決しようとする課題】
しかしながら、このように樋吊具の両側面に異なった目盛りを設けた場合、軒樋の取付施工の際、両側面の目盛りのどちらに合わせて施工すればよいのか、施工者にとって分かりにくく、取付施工に支障を生じることになる。万が一、施工者が間違って施工した場合、軒樋自体の機能を果たすことができないという問題が生じてくる。
【０００６】
本発明は上記従来の問題を解消しようとするものであり、その目的とするところは、施工者が軒樋の出寸法の調整を間違うことなく行える軒樋支持具を提供することである。
【０００７】
【課題を解決するための手段】
請求項１記載の本発明の軒樋支持具は、両端部に軒樋の耳部を支持する樋耳支持部を有する吊具本体と、軒先の鼻隠し板などに取り付けられる取付体とからなり、この取付体の屋外側端部に前記吊具本体が当接され、この吊具本体が取付体に対して前後方向に摺動自在に止着された軒樋支持具において、前記吊具本体の両側面にそれぞれ出寸法の調整幅を示す異なった目盛りが設けられ、一方、前記取付体の屋外側端部の外面に、使用すべき目盛りを示す標示が設けられているものである。
【０００８】
請求項２記載の本発明の軒樋支持具は、取付体の標示に艶消し処理が施されているものである。
【０００９】
請求項３記載の本発明の軒樋支持具は、吊具本体および取付体がともに透明な合成樹脂製のものである。
【００１０】
（作用）
請求項１記載の軒樋支持具においては、吊具本体の両側面にそれぞれ出寸法の調整幅を示す異なった目盛りが設けられ、かつ、取付体の屋外側端部の外面に、使用すべき目盛りを示す標示が設けられているので、調整幅に対応した取付体を選択し、その外面に設けられた標示側に位置する吊具本体の目盛りを利用して出寸法の調整を行える。
【００１１】
請求項２記載の軒樋支持具においては、取付体の標示に艶消し処理が施されているので、取付体が表面光沢を有するものであっても、施工者が標示の識別を容易に行える。
【００１２】
請求項３記載の軒樋支持具においては、吊具本体と取付体とが透明であるので、取付施工後の軒先の美的外観にすぐれている。
【００１３】
本発明における吊具本体は、その両端部に軒樋の耳部を支持する樋耳支持部を有するものである。吊具本体の材質は、硬質塩化ビニル樹脂、プロピレン樹脂、ポリカーボネート樹脂、ポリフェニレンサルファイド樹脂、ＡＥＳ樹脂、ＰＥＫ樹脂、ＰＥＥＫ、ポリサルホン樹脂などの合成樹脂やエンジニアリング樹脂、ガラス繊維、金属繊維、金属板あるいは合成繊維などの長尺・短尺補強材にて補強された前記合成樹脂やエンジニアリング樹脂、ＦＲＰなどが使用できる。また、鋳物やステンレスなどの金属材料であってもよい。
【００１４】
そして、吊具本体の形状は適用される軒樋の形状に応じて決めればよい。また、吊具本体の両端部の樋耳支持部の形状も、同様に適用される軒樋の耳部の形状に応じて決めればよい。
【００１５】
本発明における取付体の材質は、上記吊具本体と同様の材料からなるものであればよい。取付体の材質は吊具本体の材質と同一でも、異なっていてもよい。
【００１６】
【発明の実施の形態】
以下、本発明の実施の形態を図面に基づいて説明する。
図１は本発明の軒樋支持具の第１実施例を示す斜視図、図２は図１に対応する正面図である。
【００１７】
図１において、Ｈは吊具タイプの軒樋支持具であり、吊具本体１と取付体２とで構成されている。吊具本体１および取付体２はともにポリカーボネート樹脂製の透明なものである。この場合、取付体２は出寸法の調整幅が小から中の範囲、具体的には１０〜４５ｍｍの範囲で対応できるものである。
【００１８】
吊具本体１の屋外側の一端部には軒樋の屋外側耳部を支持する樋耳支持部１１が、屋内側の他端部には軒樋の屋内側耳部を支持する樋耳支持部１２がそれぞれ設けられている。吊具本体１の中央部には、図６に示すように、長手方向に沿ってボルト挿入用の長孔１３が上下方向に開口して設けられている。１４は板バネであり、その先端は上方に屈曲されている。
【００１９】
吊具本体１の両側面１５には、出寸法を調整する際に、位置の目印とする表示がそれぞれ設けられている。具体的には、図５に示すように、右側面１５Ｒ（屋外側から見て）には、出寸法の調整幅が小から中の範囲の場合に対応できる突起状の目盛り１６と目盛り数字（１０，２０、３０および４５）が刻印されている。突起状の目盛り１６は５ｍｍ間隔で８箇所に設けられている。一方、左側面１５Ｌ（屋外側から見て）には、図７に示すように、出寸法の調整幅が大の範囲、具体的には４５〜６０ｍｍの範囲で対応できる突起状の目盛り１７と目盛り数字（４５および６０）が刻印されている。突起状の目盛り１７は５ｍｍ間隔で４箇所に設けられている。なお、図１から明らかなように、上記突起状の目盛り１６、１７と目盛り数字が刻印されている吊具本体１の両側面１５（１５Ｒ、１５Ｌ）は窪んでいる。そして、図７における目盛り数字４５の位置は、図５における突起状の目盛りの２５の位置に対応している。
【００２０】
取付体２の屋内側の一端部には、鼻隠し板にビスにて固定される取付部２１が垂直に、屋外側の他端部には、連結部２４が水平に、それぞれ設けられている。取付部２１の形状は、図１に示すように、四隅部が丸みをおびた長方形である。取付部２１と連結部２４は前下がり部２２および傾斜部２３にて一体に連結されている。連結部２４のほぼ中央にはボルト挿入用の孔（図示せず）が設けられている。
【００２１】
取付部２１の上端部から前下がり部２２、傾斜部２３および連結部２４の先端に至る部分においては、幅方向の両側部が下方に屈曲されて係止部２５、２５が設けられている。この両係止部２５間の間隔は、吊具本体１の幅よりすこし広くされている。取付部２１の四隅部には４個のビス孔２６が設けられている。なお、上端側の２個のビス孔２６は図示のように雪だるま形状とされている。そして、傾斜部２３の外面には、「調整面」という文字が凸状に刻印され、この文字の下方に、標示である幅広の矢印２７が凸状に刻印されている。この矢印２７は出寸法の調整を行う際の調整面側の位置を示すものである。この場合、矢印２７の方向は、屋外側から見て、右向きになっており、吊具本体１の右側面に表示されている目盛り数字（１０〜４５）を利用して、出寸法の調整を行うことを表している。
【００２２】
なお、取付体２がポリカーボネート樹脂のように表面光沢性にすぐれた材質製のものである場合、上記「調整面」という文字および矢印２７の表面に、シボ加工によって艶消し処理を施すことが有効である。つまり、艶消し処理を施すことにより、施工者に対して、標示をより識別し易いものとできる。
【００２３】
図３に示す軒樋支持具Ｈ１は、取付体２ａを出寸法の調整幅が大の場合に対応できるようにしたものである。基本的には、前下がり部２２ａの長さが上記取付体２の前下がり部２２の長さより約２０ｍｍ長くされ、傾斜部２３ａの外面に設けられている調整面側の位置を示す矢印２７ａの向きが上記とは逆向きになっている点が相違するだけで、それ以外は上記取付体２と同じである。なお、吊具本体については、図１の場合と同一の符号を付して説明を省略する。この場合、矢印２７ａの方向は、図４に示すように、屋外側から見て、左向きになっており、吊具本体１の左側面（屋外側から見て）に表示されている目盛り数字（４５〜６０）を利用して、出寸法の調整を行うことを表している。
【００２４】
そして、図１に示すように、吊具本体１の屋外側先端に取付体２の連結部２４を当接して装着し、係止部２５を吊具本体１の両側面に係止させ、下方よりボルト３を挿入し、蝶ナット４を締め付けることにより、軒樋支持具Ｈが構成されている。
【００２５】
つぎに、図８および図９により上記図１の軒樋支持具Ｈの使用方法について説明する。まず、蝶ナット４を緩めて吊具本体１を前方向に移動させ、図９に示すように、連結部２４の先端を、吊具本体１の右側面１５Ｒ（屋外側から見て）に表示されている目盛り数字の「２０」に一致させて位置決めし、蝶ナット４を締め付けて取付体２と吊具本体１とを固定する。取付体２の取付部２１に設けられたビス孔２６にビス（不図示）を通して鼻隠し板６に取付体２を固定する。そして、軒樋７の屋外側耳部７１を吊具本体１の樋耳支持部１１に係止させ、軒樋７を屋内側に回動させて軒樋７の屋内側耳部７２を吊具本体１の樋耳支持部１２に係止させることにより、軒樋支持具Ｈに軒樋７を取り付ける。
【００２６】
図２の軒樋支持具Ｈ１にて軒樋の出寸法の調整を行う場合も、上記と同様にして行えばよい。この場合は、たとえば連結部２４ａの先端を、図１０に示すように、吊具本体１の左側面１５Ｌ（屋外側から見て）に表示されている目盛り数字の「４５」に一致させて位置決めすれば、出寸法を４５ｍｍとすることができる。
【００２７】
このように、吊具本体１を取付体２（または２ａ）に対して前後方向に摺動させて移動し、かつ、蝶ナット４の締め付け度合いを調整することにより、軒樋７の出寸法の調整を行うことができる。そして、傾斜部２３（または２３ａ）の外面に設けられた矢印２７（または２７ａ）の向きを目印にして、施工者は吊具本体１の側面に設けられた目盛り数字を利用して、出寸法の調整を間違うことなく容易に行える。
【００２８】
上記実施例においては、吊具本体および取付体をともに透明なものとしたが、不透明なものであってもよい。また、吊具本体と取付体をボルト・蝶ナットにて止着する際、ボルトと蝶ナットの上下位置関係を逆にしてもよい。
【００２９】
また、傾斜部２３の外面に刻印した「調整面」という文字および矢印２７は凸状のものに代えて凹状のもの、あるいは、凸状と凹状のものを組合せたものとしてもよい。
【００３０】
【発明の効果】
請求項１ないし３記載の軒樋支持具においては、吊具本体の両側面にそれぞれ出寸法の調整幅を示す異なった目盛りが設けられ、かつ、取付体の屋外側端部の外面に、使用すべき目盛りを示す標示が設けられているので、施工者が調整幅に対応した取付体を選択し、その外面に設けられた標示にしたがって、使用すべき吊具本体の目盛りを利用して出寸法の調整を、間違うことなく迅速に行うことができる。
【００３１】
請求項２記載の軒樋支持具においては、取付体の標示に艶消し処理が施されているので、取付体が表面光沢を有するものであっても、施工者が標示の識別を容易に行える。
【００３２】
請求項３記載の軒樋支持具においては、吊具本体と取付体とが透明であるので、取付施工後の軒先の美的外観にすぐれている。
【図面の簡単な説明】
【図１】本発明における軒樋支持具の第１実施例を示す斜視図である。
【図２】図１に対応する正面図である。
【図３】図２の取付体を出寸法の調整幅が大のものとした正面図である。
【図４】図３の要部を示す拡大斜視図である。
【図５】図１における吊具本体を示す正面図である。
【図６】図１における吊具本体を示す底面図である。
【図７】図１における吊具本体を示す背面図である。
【図８】図１の軒樋支持具の使用状態を示す説明図である。
【図９】出寸法の調整状態を示す説明図である。
【図１０】出寸法の調整状態を示す他の説明図である。
【符号の説明】
１            吊具本体
１１、１２    樋耳支持部
１３          ボルト挿入用の長孔
１４          板バネ
１５Ｒ        右側面
１５Ｌ        左側面
１６          目盛り
２、２ａ      取付体
２１、２１ａ  取付部
２２、２２ａ  前下がり部
２３、２３ａ  傾斜部
２４、２４ａ  連結部
２５、２５ａ  係止部
２７、２７ａ  矢印（標示）
３            ボルト
４            蝶ナット
６            鼻隠し板
７            軒樋
７１          屋外側耳部
７２          屋内側耳部
【図１】
0003709025.tif 000002
【図２】
0003709025.tif 000003
【図３】
0003709025.tif 000004
【図４】
0003709025.tif 000005
【図５】
0003709025.tif 000006
【図６】
0003709025.tif 000007
【図７】
0003709025.tif 000008
【図８】
0003709025.tif 000009
【図９】
0003709025.tif 000010
【図１０】
0003709025.tif 000011